(57)【特許請求の範囲】
【請求項１】
テーブルの天板面等に移動可能に載置しておくことができるホルダ本体と、モジュラージャック等の情報プラグを挿脱可能とし、この情報プラグを使用しない場合にはその内方に収容して外力を防ぐためにこのホルダ本体に設けられた収納空間と、少なくとも前記情報プラグから導出されたケーブルの所望位置を保持する保持手段と、この保持手段による保持状態を一時的に解除するための解除操作手段とを具備してなることを特徴とする情報プラグホルダ。
【請求項２】
ホルダ本体が、卓上に文鎮的に載置し得る形態をなしている請求項１記載の情報プラグホルダ。
【請求項３】
ホルダ本体が、外部から視認可能な外面所定箇所に、保持すべきケーブルの種類を示唆するためのアイコン表示部を備えている請求項１又は２記載の情報プラグホルダ。
【請求項４】
アイコン表示部が、ホルダ本体の上壁に開口させたアイコン形状をなす窓と、外部からこの窓を通して視認可能な位置に交換可能に配設した色替えシートとを具備してなることを特徴とする請求項３記載の情報プラグホルダ。
【請求項５】
色彩の異なる色替えシートを複数枚用意しておき、いずれかの色替えシートを前記窓の内側に選択的に配置するようにしている請求項４記載の情報プラグホルダ。
【請求項６】
ホルダ本体が、その底面に両端が該ホルダ本体の周面に開放された凹溝を備えており、その凹溝内を前記収容空間とするとともに、この凹溝に関連させて前記ケーブルを挟持して保持するための保持手段を設けている請求項１記載の情報プラグホルダ。
【請求項７】
保持手段が、前記凹溝の一方の内側面部に設けた固定部と、前記凹溝の他方の内側面部側からこの固定部に対峙し、該固定部方向に進退する可動部と、この可動部を固定部方向に付勢する弾性付勢要素とを備え、前記固定部と前記可動部との間に前記ケーブルを挟持し得るようにしたものであり、解除操作手段が、前記弾性付勢要素の付勢力に抗して前記可動部を固定部から離間する方向に移動させ得るようにしたものである請求項６記載の情報プラグホルダ。
【請求項８】
ホルダ本体の底面に、凹溝を閉塞可能な蓋体を開閉可能に設け、この蓋体に該ホルダ本体を懸吊支持させるための掛止部を設けている請求項６記載の情報プラグホルダ。
【請求項９】
ホルダ本体の平面形状を、該ホルダ本体をテーブルの天板面に形成した開口部に嵌挿可能なものにするとともに、該ホルダ本体の高さ寸法を、該ホルダ本体を前記開口部に嵌挿した状態で、該ホルダ本体の上面とテーブルの天板面とが略面一になる値に設定してある請求項１記載の情報プラグホルダ。
【請求項１０】
ホルダ本体に、該ホルダ本体を前記開口部から取り出す際に使用する指掛部を設けている請求項８記載の情報プラグホルダ。
【発明の詳細な説明】
【０００１】
【発明の属する技術分野】
本発明は、例えば、データ通信、モデム、ファクシミリ、電話などに用いられる情報プラグをテーブルの天板上に使いやすく保持しておく場合等に好適に使用される情報プラグホルダに関するものである。
【０００２】
【従来の技術】
従来、ネットワーク端子などとして使用されるモジュラージャック等の情報プラグは、ケーブルの先端に設けたままの状態で、テーブルの上等に無造作に配置されることが多く、自由な位置でその情報プラグを、ノートパソコンその他のモバイル機器に接続して使用することができるようになっている。
【０００３】
【発明が解決しようとする課題】
ところが、この種の情報プラグは、周知のように小さく華奢な構造をなしているため、そのままの形でテーブル上に放置しておくと、書類等に紛れて見失い易く、また、不測の外力を与えてしまったりテーブル上から落下させて破損を招くことも少なくない。
【０００４】
【課題を解決するための手段】
前記の問題点を解決するために、本発明は、テーブルの上等に無造作に配置された情報プラグの使い勝手の良さを損ねることなしに、該情報プラグを見つけやすく、かつ、落下その他の原因により破損するのを防止することができるようにしたものであり、テーブルの天板面等に移動可能に載置しておくことができるホルダ本体にモジュラージャック等の情報プラグを挿脱可能とし、この情報プラグを使用しない場合にはその内方に収容して外力を防ぐための収容空間を設けるとともに、その情報プラグから導出されているケーブルの所望位置を保持するための保持手段を設け、この保持手段によるケーブル保持状態を、解除操作手段により一時的に解除し得るようにしたことを特徴とするものである。
【０００５】
【発明の実施の形態】
本発明に係る情報プラグホルダは、テーブルの天板面等に移動可能に載置しておくことができるホルダ本体と、モジュラージャック等の情報プラグを挿脱可能とし、この情報プラグを使用しない場合にはその内方に収容して外力を防ぐためにこのホルダ本体の底面等に設けられた収容空間と、少なくとも前記情報プラグから導出されたケーブルの所望位置を保持する保持手段と、この保持手段による保持状態を押圧操作等により一時的に解除するための解除操作手段とを具備してなる。
【０００６】
このような構成のものであれば、情報プラグを使用しない場合や、引き出して使用する必要のない場合には、該情報プラグをプラグ本体の収容空間に収容しておけば、該情報プラグに不測の外力が作用するのを防止することができる。また、情報プラグ及びケーブルをかかる情報プラグホルダにより保護しておけば、テーブル上から落下させる可能性も低くなり、仮に落下させても情報プラグ自体が壊れるのを防止することができる。しかも、このようにしておけばホルダ本体が目印になるため、情報プラグが書類等に埋もれて行方が不明になるのを防止することができる。情報プラグを、例えば、直接ノートパソコンの接続ポートに接続する場合等においては、解除操作手段を操作して保持手段によるケーブル保持状態を解除し、情報プラグを収容空間から外部に引き出せばよい。必要量引き出した状態で、解除操作手段に対する操作を停止すれば、前記保持手段によるケーブル保持状態が復活し、ホルダ本体からケーブルが所要量引き出された状態で、該ケーブルが再びホルダ本体に保持されることになる。
【０００７】
ホルダ本体の形態は、特定のものに限定されないが、簡単には見失わず、しかも、情報プラグに対するアンカー的機能を発揮させて卓上からの落下をとりわけ有効に防ぎたい場合には、卓上に文鎮的に載置し得るものにしておくのがよい。
ホルダ本体と同様な形態をなす電源ホルダ等を併用する場合には、ホルダ本体における外部から視認可能な外面所定箇所に、保持すべきケーブルの種類を示唆するためのアイコン表示部を設けておくのがよい。
【０００８】
同一のアイコン形状に対してさらに色分け分類を施したい場合、すなわち、情報ホルダに接続されたケーブルの種類を色彩の違いにより分類したい場合には、アイコン表示部を、ホルダ本体の上壁に開口させたアイコン形状をなす窓と、外部からこの窓を通して視認可能な位置に交換可能に配設した色替えシートとを具備してなるものにするのがよい。この場合、色彩の異なる色替えシートを複数枚用意しておき、いずれかの色替えシートを前記窓の内側に選択的に配置するようにしておくのが特に好ましい。
【０００９】
ホルダ本体の好適な構造としては、その底面に両端が該ホルダ本体の周面に開放された凹溝を備えており、その凹溝内を前記収容空間とするとともに、この凹溝に関連させて前記ケーブルを挟持して保持するための保持手段を設けてなるものを挙げることができる。かかる構成を採用する場合の保持手段の一例としては、前記凹溝の一方の内側面部に設けた固定部と、前記凹溝の他方の内側面部側からこの固定部に対峙し、該固定部方向に進退する可動部と、この可動部を固定部方向に付勢する弾性付勢要素とを備え、前記固定部と前記可動部との間に前記ケーブルを挟持し得るようにしたものを挙げることができる。この場合、解除操作手段は、前記弾性付勢要素の付勢力に抗して前記可動部を固定部から離間する方向に移動させ得るようにしたものとなる。
【００１０】
不使用時に、邪魔にならないように安全に保管しておくには、例えば、ホルダ本体の底面に、凹溝を閉塞可能な蓋体を開閉可能に設け、この蓋体に該ホルダ本体を懸吊支持させるための掛止部を設けておくのがよい。
不使用時の保管態様を充実させる他の例として、ホルダ本体の平面形状を、該ホルダ本体をテーブルの天板面に形成した開口部に嵌挿可能なものにするとともに、該ホルダ本体の高さ寸法を、該ホルダ本体を前記開口部に嵌挿した状態で、該ホルダ本体の上面とテーブルの天板面とが略面一になる値に設定しておくものを挙げることができる。この場合、ホルダ本体に、該ホルダ本体を前記開口部から取り出す際に使用する指掛部を設けておくのが好ましい。
【００１１】
【実施例】
以下、本発明の一実施例を、図面を参照して説明する。
この実施例における情報プラグホルダ１は、ホルダ本体２と、モジュラージャック等の情報プラグＪを挿脱可能に収容すべくこのホルダ本体２に設けられた収容空間Ｓと、前記情報プラグＪから導出されたケーブルＫの所望位置を保持する保持手段３と、この保持手段３による保持状態を一時的に解除するための解除操作手段４とを具備してなるもので、例えば、図１に示すようなテーブルＴの天板上で使用される。
【００１２】
ホルダ本体２は、図１〜図６に示すように、厚みのある円盤状のもので、卓上、すなわち、テーブルＴの天板面ｔ１に文鎮的に安定載置し得るようになっている。具体的には、ホルダ本体２は、略円形をなす底壁５１と周壁５２とを合成樹脂により一体に成形してなる下半部材５、及び、略円形をなす上壁６１と周壁６２とを合成樹脂により一体に成形してなる上半部材６を備えている。そして、前記下半部材５の周壁５２の上縁部と、上半部材６の周壁６２の下縁部とを印籠的に嵌合させた状態で、下半部材５と上半部材６とをビス７により結合したものである。
【００１３】
ホルダ本体２の外部から視認可能な外面所定箇所、例えば、上面中央部には、保持すべき情報プラグＪの種類を示唆するためのアイコン表示部８を設けている。アイコン表示部８は、ホルダ本体２の上半部材６の上壁６１に開口させたアイコン形状をなす窓８１と、外部からこの窓８１を通して視認可能な位置に交換可能に配設した色替えシート８２とを具備してなる。そして、色彩の異なる色替えシート８２を複数枚用意しておき、いずれかの色替えシート８２を前記窓８１の内側に選択的に配置するようにしている。なお、この実施例の窓８１は、ネットワーク端子の横断面形状を模した形状をなしている。
【００１４】
ホルダ本体２の底面２ａには、両端が該ホルダ本体２の周面２ｂに開放された凹溝９が設けてあり、その凹溝９内を前記収容空間Ｓとしている。具体的には、前記下半部材５の底壁５１を凹陥させるとともに、その凹陥部分に対応する周壁５２、６２の二箇所を欠除させることによって、凹溝９を形成している。そして、この凹溝９に関連させて前記ケーブルＫを挟持して保持するための保持手段３を設けている。
【００１５】
保持手段３は、図８〜図１０に示すように、前記凹溝９の一方の内側面部に設けた固定部１０と、前記凹溝９の他方の内側面部側からこの固定部１０に対峙し、該固定部１０方向に進退する可動部１１と、この可動部１１を固定部１０方向に付勢する弾性付勢要素たる圧縮コイルスプリング１２とを備え、前記固定部１０と前記可動部１１との間に前記ケーブルＫを挟持し得るようにしたものである。詳述すれば、固定部１０は、凹溝９の中央部分における一方の内側面部に一体に設けた鉛直壁部１０ａと、この鉛直壁部１０ａの下縁から他方の内側面方向に水平に突出する鍔部１０ｂとからなるもので、下半部材５に一体に形成されている。可動部１１は、凹溝９の中央部分における他方の内側面部に配置した中空ブロック状のもので、前記鍔部１０ｂの先端に当接する挟持位置Ｐ（図８参照）と、鍔部１０ｂとの間に隙間が形成される退避位置Ｑ（図９参照）との間で進退し得るようになっている。具体的には、この可動部１１は、下半部材５と上半部材６とに上下から保持されて水平方向にスライド可能なスライド板１３の一端１３ａに固設されている。スライド板１３の他端１３ｂには、前記鉛直壁部１０ａの外面側に対峙する垂下片１３１が設けてあり、この垂下片１３１と前記鉛直壁部１０ａの外面間に圧縮コイルスプリング１２を介設することによって、前記可動部１１を固定部１０方向に弾性付勢している。そして、このスライド板１３に解除操作手段４を設けている。なお、前記スライド板１３の上には、脚１５１を介して下半部材５に支持された中間板１５０が配設されており、この中間板１５０と上半部材６の上壁６１間に前記色替えシート８２を挿入し得るようになっている。しかして、この中間板１５０の縁部には、色替えシート８２を係止案内するガイド突条１５２、１５３が設けてある。
【００１６】
解除操作手段４は、前記圧縮コイルスプリング１２の付勢力に抗して前記可動部１１を固定部１０から離間する方向に移動させるためのもので、ホルダ本体２の下半部材５の周壁５２に設けた開口部５３に臨設したリリースボタン１４と、このリリースボタン１４を前記スライド板１３に結合する対をなす連結壁１５とからなる。リリースボタン１４の外面は、前記周壁５２の外面に略面一となる状態で外部に表出しており、このリリースボタン１４を指で押圧することによって、スライド板１３を矢印Ｂ方向に移動させることができるようになっている。
【００１７】
また、ホルダ本体２の底面に、凹溝９を閉塞可能な蓋体１６を開閉可能に設け、この蓋体１６に該ホルダ本体２を懸吊支持させるための掛止部１７を設けている。蓋体１６は、図６及び図７に示すように、基端部１６ａの両側縁に軸部１８を突設してなる平板状のもので、その軸部１８を前記凹溝９の開口縁に形成した軸受部１９に回動可能に支持させることによって、図６に示す凹溝９を塞ぐ閉成位置Ｒと、図７に示す凹溝９を開放する開成位置Ｕとの間で回動し得るようになっている。蓋体１６の外面１６ｂには、図５及び図６に示すように、弾性爪２０が突設してあり、該蓋体１６を開成位置Ｕにまで回動させた場合に、その弾性爪２０がホルダ本体２の底面２ａに設けた係合部２１に弾性係合して、該蓋体１６を開成位置Ｕに保持し得るようになっている。掛止部１７は、前記蓋体１６の内面１６ｃに設けた横断面Ｌ字形をなす突条であり、蓋体１６を開成位置Ｕに回動させた場合に外部に表出するようになっている。しかして、この掛止部１７を、図１１に示すように、例えば、前記テーブルＴの天板受材ｔ２の側面に形成したレール部ｔ３に掛止させることによって、この情報プラグホルダ１全体を邪魔のならない天板直下に懸吊しておくことができる。なお、図８及び図９は、この蓋体１６を省略した図となっている。
【００１８】
さらに、この実施例では、図１２に示すように、ホルダ本体２の平面形状を、該ホルダ本体２をテーブルＴの天板面ｔ１に形成した開口部ｃ１に嵌挿可能なものにするとともに、該ホルダ本体２の高さ寸法を、該ホルダ本体２を前記開口部ｃ１に嵌挿した状態で、該ホルダ本体２の上面２ｃとテーブルＴの天板面ｔ１とが略面一になる値に設定してある。そして、ホルダ本体２に、該ホルダ本体２を前記開口部ｃ１から取り出す際に使用する指掛部２２を設けている。詳述すれば、前記テーブルＴは、天板面ｔ１の中央部に、該天板の上下を連通させる長方形の貫通口ｔ５を備えており、この貫通口ｔ５に複数の開口部ｃ１を有するカバーＣを着脱可能に装着している。カバーＣは、円形の開口部ｃ１を備えた上面板ｃ２と、この上面板ｃ２の両側縁部から下方に垂下する垂下板ｃ３と、これら両垂下板ｃ３の下縁から内方に延出させた受板ｃ４とを具備してなるもので、各開口部ｃ１に、情報プラグホルダ１を嵌挿し得るようになっている。開口部ｃ１に嵌挿された情報プラグホルダ１は、前記受板ｃ４に当接して一定高さ位置に係止されるようになっており、その係止状態でホルダ本体２の上面２ｃと、天板面ｔ１とが略面一になるように設定してある。指掛部２２は、ホルダ本体２の上面外周縁部２カ所に、略１／４球状をなす凹陥部分を形成してなるもので、一方の凹陥部分には、前記色替えシート８２を上壁内面に沿って挿脱させるためのスリット２３が設けてある。
【００１９】
このような構成のものであれば、情報プラグＪを使用しない場合や、引き出して使用する必要のない場合には、該情報プラグＪをプラグ本体２の収容空間Ｓに収容しておけば、該情報プラグＪに不測の外力が作用するのを防止することができる。また、情報プラグＪ及びケーブルＫをかかる情報プラグホルダ１により保護しておけば、テーブルＴ上から落下させる可能性も低くなり、仮に落下させても情報プラグＪ自体が壊れるのを防止することができる。しかも、このようにしておけばホルダ本体２が目印になるため、情報プラグＪが書類等に埋もれて行方が不明になるのを防止することができる。情報プラグＪを、例えば、直接ノートパソコンの接続ポートに接続する場合等においては、解除操作手段４を操作して保持手段３によるケーブル保持状態を解除し、情報プラグＪを収容空間Ｓから外部に引き出せばよい。必要量引き出した状態で、解除操作手段４に対する操作を停止すれば、前記保持手段３によるケーブル保持状態が復活し、ホルダ本体２からケーブルＫが所要量引き出された状態で、該ケーブルＫが再びホルダ本体２に保持されることになる。
【００２０】
ホルダ本体２が、卓上で文鎮的に載置し得る形態をなしているので、移動は可能であるが、簡単には見失わず、しかも、情報プラグＪに対するアンカー的機能を発揮させて卓上からの落下をとりわけ有効に防ぐことができる。
ホルダ本体２が、外部から視認可能な外面所定箇所に、保持すべき情報プラグＪの種類を示唆するためのアイコン表示部８を設けているので、ホルダ本体２と同様な形態をなす電源ホルダ等を併用する場合には、このアイコン表示部８を介して分類を行うことができる。
【００２１】
アイコン表示部８が、ホルダ本体２の上壁に開口させたアイコン形状をなす窓８１と、外部からこの窓８１を通して視認可能な位置に交換可能に配設した色替えシート８２とを具備してなるので、同一のアイコン形状に対してさらに色分け分類を施し、情報ホルダＪに接続されたケーブルＫの種類を色彩の違いにより分類することが可能である。
【００２２】
しかして、色彩の異なる色替えシート８２を複数枚用意しておき、いずれかの色替えシート８２を前記窓８１の内側に選択的に配置するようにしているので、簡単な構成で情報ホルダＪに接続されたケーブルＫの種類を色彩の違いにより分類することができる。そのため、例えば、同じモジュラージャックを模したアイコン形状を有する情報プラグホルダ１においても、データ通信用のものであるか、モデム用のものであるか、ファクシミリ用のものであるか、電話用のものであるかの区別が一目瞭然となる。
【００２３】
ホルダ本体２が、その底面２ａに両端が該ホルダ本体２の周面２ｂに開放された凹溝９を備えており、その凹溝９内を前記収容空間Ｓとするとともに、この凹溝９に関連させて前記ケーブルＫを挟持して保持するための保持手段３を設けてなるので、所望の引き出し位置において該ケーブルＫを確実に保持することができる。
【００２４】
保持手段３が、前記凹溝９の一方の内側面部に設けた固定部１０と、前記凹溝９の他方の内側面部側からこの固定部１０に対峙し、該固定部１０方向に進退する可動部１１と、この可動部１１を固定部１０方向に付勢する圧縮コイルスプリング１２とを備え、前記固定部１０と前記可動部１１との間に前記ケーブルＫを挟持し得るようにしたものであり、解除操作手段４が、前記圧縮コイルスプリング１２の付勢力に抗して前記可動部１１を固定部１０から離間する方向に移動させ得るようにしたものであるので、解除操作を行わない場合には、ケーブルＫを弾性力で適切に保持することができる。特に、固定部１０を、前述したような構成にして、その鍔部１０ｂにより可動部１１を係止するようにしておけば、可動部１１と固定部１０の鉛直壁部１０ａとの間の隙間が一定以上小さくなるのを防止することができる。そのため、圧縮コイルスプリング１２を強めに設定しておいても、ケーブルＫを、不当な変形を招くことなしに長期間保持し続けることができる。
【００２５】
ホルダ本体２の底面２ａに、凹溝９を閉塞可能な蓋体１６を開閉可能に設け、この蓋体１６に該ホルダ本体２を懸吊支持させるための掛止部１７を設けているので、不使用時に、該ホルダ本体２を邪魔にならないように安全に保管しておくことができる。特に、この実施例では、対をなす掛止部１７を複数段に設けたレールｔ３に掛止させるようにしているので、情報プラグホルダ１の揺動を防止することができ、安定した保管が可能となる。また、図１に示すように、前記レールｔ３を一方のテーブル脚ｔ４から他方のテーブル脚ｔ５に亘って連続させておけば、情報プラグホルダ１をテーブルサイドの所望位置に適宜保管しておくことが可能となる。
【００２６】
ホルダ本体２の平面形状を、該ホルダ本体２をテーブルＴの天板面ｔ１に形成した開口部ｃ１に嵌挿可能なものにするとともに、該ホルダ本体２の高さ寸法を、該ホルダ本体２を前記開口部ｃ１に嵌挿した状態で、該ホルダ本体２の上面２ｃとテーブルＴの天板面ｔ１とが略面一になる値に設定しているので、不使用時の保管態様を充実させることができる。特に、この実施例では、テーブルＴの天板中央に設けたカバーＣに複数の開口部ｃ１を設けて、それらの開口部ｃ１にそれぞれ情報プラグホルダ１や、該情報プラグホルダ１と略同一の輪郭形状をなす電源コンセント等を併用することができ、種々の方向から取り出して使用することが可能となる。
【００２７】
さらに、ホルダ本体２に、前記開口部ｃ１から取り出す際に使用する指掛部２２を設けているので、取り出し作業を良好なものとすることができる。
なお、本発明は、上述した実施例に限定されず、本発明の趣旨を逸脱しない範囲で種々変形が可能である。
【００２８】
【発明の効果】
本発明は、以上のような構成であるから、情報プラグを使用しない場合や、引き出して使用する必要のない場合には、該情報プラグをプラグ本体の収容空間に収容しておくことができ、該情報プラグに不測の外力が作用するのを防止することができる。また、情報プラグ及びケーブルをかかる情報プラグホルダにより保護しておけば、テーブル上から落下させる可能性も低くなり、仮に落下させても情報プラグ自体が壊れるのを防止することができる。しかも、このようにしておけばホルダ本体が目印になるため、情報プラグが書類等に埋もれて行方が不明になるのを防止することができる。
【００２９】
ホルダ本体を、卓上に文鎮的に載置し得る形態のものにしておけば、移動は可能であるが、簡単には見失わず、しかも、情報プラグに対するアンカー的機能を発揮させて卓上からの落下をとりわけ有効に防ぐことができる。
ホルダ本体が、外部から視認可能な外面所定箇所に、保持すべきケーブルの種類を示唆するためのアイコン表示部を設けておくならば、ホルダ本体と同様な形態をなす電源ホルダ等を併用する場合には、このアイコン表示部を介して分類を行うことができる。
【００３０】
アイコン表示部が、ホルダ本体の上壁に開口させたアイコン形状をなす窓と、外部からこの窓を通して視認可能な位置に交換可能に配設した色替えシートとを具備してなるならば、同一のアイコン形状に対してさらに色分け分類を施し、情報ホルダに接続されたケーブルの種類を色彩の違いにより分類することが可能である。
【００３１】
この場合、色彩の異なる色替えシートを複数枚用意しておき、いずれかの色替えシートを前記窓の内側に選択的に配置するようにしておくならば、簡単な構成で情報ホルダに接続されたケーブルの種類を色彩の違いにより分類することができる。
ホルダ本体の底面に両端が該ホルダ本体の周面に開放された凹溝を設け、その凹溝内を前記収容空間とするとともに、この凹溝に関連させて前記ケーブルを挟持して保持するための保持手段を設けてなるならば、ケーブルの装脱作業を複雑なものにすることなしに、該ケーブルを確実に保持することが可能となる。
【００３２】
保持手段を、前述したように可動部を固定部に弾性付勢要素により押しつけてケーブルを挟持し得るようなものにしておけば、ケーブルを弾性力により適切かつ不当な変形を招くことなしに長期間保持し続けることができる。
ホルダ本体の底面に、前述したような掛止部を有する蓋体を設けておけば、情報ホルダの保持をより確実に行うことができる上に、不使用時に、該ホルダ本体を邪魔にならないように安全に保管しておくことが可能となる。
【００３３】
テーブルの天板面に設けた開口部に、該情報プラグホルダを、その上面が天板面と面一になるように収納しておくことができるように構成しておけば、不使用時に天板面を広く使用することができ、しかも、使用時には適宜取り出して情報プラグを用いることが可能となる。その際、ホルダ本体に指掛部を設けておけば、使用時の取り出し操作を特に良好なものとすることができる。
【図面の簡単な説明】
【図１】本発明の一実施例を示すテーブルの全体斜視図。
【図２】同実施例を示す斜視図。
【図３】同実施例における上半部材の片半部を破断した状態を示す平面図。
【図４】同実施例を示す側面図。
【図５】同実施例を示す正面図。
【図６】同実施例を示す底面図。
【図７】同実施例を示す底面図。
【図８】同実施例の内部及び蓋体を一部省略して示す概略断面図。
【図９】同実施例の内部及び蓋体を一部省略して示す概略断面図。
【図１０】同実施例の内部を破断して示す分解斜視図。
【図１１】同実施例の使用形態を示す説明図。
【図１２】同実施例他の使用形態を示す説明図。
【図１３】同他の使用形態を示すテーブル中央部の断面図。
【符号の説明】
１…情報プラグホルダ
２…ホルダ本体
２ａ…底面
２ｂ…周面
２ｃ…上面
３…保持手段
４…解除操作手段
８…アイコン表示部
８１…窓
８２…色替えシート
９…凹溝
１０…固定部
１１…可動部
１２…弾性付勢要素（圧縮コイルスプリング）
１６…蓋体
１７…掛止部
２２…指掛部
Ｊ…情報プラグ
Ｋ…ケーブル
Ｓ…収容空間
Ｔ…テーブル
ｔ１…天板面
ｃ１…開口部
【図１】
0003643977.tif 000002
【図２】
0003643977.tif 000003
【図３】
0003643977.tif 000004
【図４】
0003643977.tif 000005
【図５】
0003643977.tif 000006
【図６】
0003643977.tif 000007
【図７】
0003643977.tif 000008
【図８】
0003643977.tif 000009
【図９】
0003643977.tif 000010
【図１０】
0003643977.tif 000011
【図１１】
0003643977.tif 000012
【図１２】
0003643977.tif 000013
【図１３】
0003643977.tif 000014